(57)【特許請求の範囲】
【請求項１】
画像読取対象である読取媒体を搬送しながら、前記読取媒体に対する画像の読み取りを行う携帯型画像読取装置が取り外し可能に収納される本体部と、
前記本体部に対して、前記本体部の長手方向周りに回動自在に支持されたカバー部と、
前記本体部に対して、前記カバー部を前記本体部に向かう方向である近接方向に回動させ、前記カバー部が前記本体部を覆った状態である閉塞状態で、前記カバー部を本体部に対して係止する係止部と、
を備え、
前記カバー部は、前記係止部による係止を解放した状態で、前記本体部に対して前記近接方向と反対方向である離間方向に回動することで展開状態となり、前記読取媒体の排出経路を形成し、
前記本体部は、前記長手方向周りに回動自在に支持された仕切板を有し、
前記仕切板は、前記本体部を前記携帯型画像読取装置が保持される第１収納部と、第２収納部とに区画し、かつ立位状態で前記第１収納部に保持される前記携帯型画像読取装置の排出口と対向することを特徴とする携帯型画像読取装置用ケース。
【請求項２】
請求項１に記載の携帯型画像読取装置用ケースにおいて、
前記仕切板を前記離間方向に回動させる力を作用させる仕切板回動機構をさらに備える携帯型画像読取装置用ケース。
【請求項３】
請求項１または２に記載の携帯型画像読取装置用ケースにおいて、
前記本体部は、収納状態の前記携帯型画像読取装置に形成されている外部機器と電気的な接続を行う接続部と対向する位置に接続用穴が形成されている携帯型画像読取装置用ケース。
【請求項４】
請求項３に記載の携帯型画像読取装置用ケースにおいて、
前記接続用穴に着脱自在に挿入される蓋部をさらに備える携帯型画像読取装置用ケース。
【請求項５】
請求項１または２に記載の携帯型画像読取装置用ケースにおいて、
前記第１収納部は、収納状態の前記携帯型画像読取装置よりも長手方向に長く形成されており、
前記本体部の長手方向における両端部のうち、収納状態の前記携帯型画像読取装置に形成されている外部機器との電気的な接続を行う接続部側の端部と前記仕切板との間には、前記第１収納部と前記第２収納部とを連通する開口部が形成されている携帯型画像読取装置用ケース。
【請求項６】
請求項５に記載の携帯型画像読取装置用ケースにおいて、
前記本体部は、接続部側の前記端部に、少なくとも第２収納部と連通する引き出し穴が形成されている携帯型画像読取装置用ケース。
【請求項７】
請求項１〜６のいずれか１つに記載の携帯型画像読取装置用ケースにおいて、
前記カバー部を前記離間方向に回動させる力を作用させるカバー部回動機構をさらに備える携帯型画像読取装置用ケース。
【請求項８】
請求項１〜７のいずれか１つに記載の携帯型画像読取装置用ケースにおいて、
収納状態の前記携帯型画像読取装置が前記本体部に対して移動することを規制する規制機構をさらに備える携帯型画像読取装置用ケース。
【請求項９】
請求項１〜８のいずれか１つに記載の携帯型画像読取装置用ケースにおいて、
前記本体部に収納され、収納状態の前記携帯型画像読取装置に電力を供給するバッテリをさらに備える携帯型画像読取装置用ケース。
【請求項１０】
請求項１〜９のいずれか１つに記載の携帯型画像読取装置用ケースにおいて、
前記カバー部は、収納状態の前記携帯型画像読取装置が有する少なくとも前記携帯型画像読取装置により生成された読取媒体に対応する読取画像データを投射する投射装置の投射方向に位置できる部分に、前記読取画像データを表示するスクリーン面が形成されている携帯型画像読取装置用ケース。
【発明の詳細な説明】
【技術分野】
【０００１】
本発明は、携帯型画像読取装置用ケースに関する。
【背景技術】
【０００２】
画像読取装置には、ユーザーが持ち運ぶことを前提とした携帯可能な携帯型画像読取装置がある。携帯型画像読取装置は、通常、鞄などに入れて持ち運ばれる。携帯型画像読取装置が鞄などにそのまま入れられて持ち運ばれると、携帯型画像読取装置に汚れや傷が付き、破損などが生じる虞がある。従って、これらを防止する目的から携帯型画像読取装置を収納できる専用のケースである携帯型画像読取装置用ケース（以下、単に「キャリーケース」と称する）が使用される場合がある（特許文献１参照）。キャリーケースは、上記目的を達成するために、携帯型画像読取装置の未使用時に主に使用されるものである。なお、携帯型画像読取装置とキャリーケースを一体化したものもある（特許文献２参照）。
【先行技術文献】
【特許文献】
【０００３】
【特許文献１】米国特許出願公開第２００５／００９４２１６号明細書
【特許文献２】特許第３２５８４４８号公報
【発明の概要】
【発明が解決しようとする課題】
【０００４】
ところで、従来のキャリーケースに収納された携帯型画像読取装置を使用する場合は、携帯型画像読取装置をキャリーケースから取り出し、携帯型画像読取装置を机などに設置して使用することができる状態とするとともに、キャリーケースを他の場所に片付けておくこととなる。例えば、電車やバスの中、駅や空港の待合室などにおいて、携帯型画像読取装置を使用する場合は、予め設置されている小さな机の上やユーザーの膝の上で使用することとなり、携帯型画像読取装置を使用できる場所の広さが限定されている。従って、携帯型画像読取装置をキャリーケースから取り出すことや、キャリーケースを片付けることが困難となる虞や、これらの行為をユーザーが煩わしく思う虞がある。また、携帯型画像読取装置では、画像読取対象である読取媒体を搬送する際に用いられるトレイ、特に携帯型画像読取装置から排出された読取媒体が載置される排紙トレイを有さない場合がある。この場合、携帯型画像読取装置から搬送された読取媒体は、携帯型画像読取装置が載置されている場所に排出されることとなる。従って、読取媒体が排出される場所の状態によって、読取媒体が安定して排出されない虞がある。例えば、読取媒体が排出される領域に物が存在する場合や、読取媒体が排出される領域の形状が読取媒体を引っ掛けやすい形状である場合などでは、読取媒体が安定して排出されないため、携帯型画像読取装置により読み取られた読取画像が歪む虞や、読取媒体に損傷を与える虞がある。
【０００５】
本発明は、携帯型画像読取装置を使用する場所の状態に拘わらず、携帯型画像読取装置を簡単に使用できること、あるいは携帯型画像読取装置を安定して使用できることの少なくともいずれかを実現できる携帯型画像読取装置用ケースを提供することを目的とする。
【課題を解決するための手段】
【０００６】
上述した課題を解決し、目的を達成するために、携帯型画像読取装置用ケースは、画像読取対象である読取媒体を搬送しながら、前記読取媒体に対する画像の読み取りを行う携帯型画像読取装置が取り外し可能に収納される本体部と、前記本体部に対して、前記本体部の長手方向周りに回動自在に支持されたカバー部と、前記本体部に対して、前記カバー部を前記本体部に向かう方向である近接方向に回動させ、前記カバー部が前記本体部を覆った状態である閉塞状態で、前記カバー部を本体部に対して係止する係止部と、を備え、前記カバー部は、前記係止部による係止を解放した状態で、前記本体部に対して前記近接方向と反対方向である離間方向に回動することで展開状態となり、前記読取媒体の排出経路を形成し、前記本体部は、前記長手方向周りに回動自在に支持された仕切板を有し、前記仕切板は、前記本体部を前記携帯型画像読取装置が保持される第１収納部と、第２収納部とに区画し、かつ立位状態で前記第１収納部に保持される前記携帯型画像読取装置の排出口と対向することを特徴とする。
【発明の効果】
【０００７】
本発明にかかる携帯型画像読取装置用ケースは、携帯型画像読取装置を本体部に収納した状態で、携帯型画像読取装置により画像読取対象である読取媒体の読み取りを行うことができるので、携帯型画像読取装置を使用する場所の状態に拘わらず、携帯型画像読取装置を簡単に使用できることができ、携帯型画像読取装置を安定して使用できることの少なくともいずれかを実現できるという効果を奏する。
【図面の簡単な説明】
【０００８】
【図１】図１は、実施形態１に係る携帯型画像読取装置用ケースの外観図である。
【図２】図２は、実施形態１に係る携帯型画像読取装置用ケースの平面図である。
【図３】図３は、携帯型画像読取装置を収納した状態を示す図である。
【図４】図４は、携帯型画像読取装置用ケースの断面図である。
【図５】図５は、変形例２に係るキャリーケースの概略構成例を示す図である。
【図６】図６は、変形例３に係るキャリーケースの概略構成例を示す図である。
【図７】図７は、変形例４に係るキャリーケースの概略構成例を示す図である。
【図８】図８は、実施形態２に係る携帯型画像読取装置用ケースの外観図である。
【図９】図９は、携帯型画像読取装置を収納した状態を示す図である。
【図１０】図１０は、実施形態３に係る携帯型画像読取装置用ケースの平面図である。
【発明を実施するための形態】
【０００９】
以下、本発明につき図面を参照しつつ詳細に説明する。なお、下記の実施形態により本発明が限定されるものではない。また、下記の実施形態における構成要素には、当業者が容易に想定できるもの或いは実質的に同一のものが含まれる。また、下記の実施形態では、携帯型画像読取装置としてユーザーが携帯できるイメージスキャナについて説明するが本発明はこれに限定されるものではなく、複写機、ファクシミリ、文字認識装置などの画像読取対象である読取媒体をイメージセンサによりスキャンするもので、ユーザーが携帯できるものであればいずれであっても良い。
【００１０】
〔実施形態１〕
図１は、実施形態１に係る携帯型画像読取装置用ケースの外観図である。図２は、実施形態１に係る携帯型画像読取装置用ケースの平面図である。図３は、携帯型画像読取装置を収納した状態を示す図である。図４は、携帯型画像読取装置用ケースの断面図である。なお、図４は、携帯型画像読取装置を収納した状態である携帯型画像読取装置用ケースの副走査方向と直交する平面における断面図である。
【００１１】
実施形態１にかかる携帯型画像読取装置用ケース（以下、単に「キャリーケース」と称する）１−１は、図１に示すように、イメージスキャナ１００を収納するケースである。ここで、イメージスキャナ１００は、ユーザーの手差しにより、挿入口１０１から挿入された読取媒体を図示しない搬送部により、図示しないイメージセンサを有する撮像部まで搬送する。イメージスキャナ１００は、搬送中の読取媒体を撮像部により読み取ることで、読取媒体に対応する読取画像データを生成し、読み取られた読取媒体を搬送部により排出口１０２から排出する。ここで、１０３は、イメージスキャナ１００を外部機器、例えばパーソナルコンピュータや携帯端末などと電気的な接続を行うための接続部である。イメージスキャナ１００は、接続部１０３と外部機器に形成された接続部とをインターフェースケーブルなどの接続ケーブルを介して電気的に接続することで、生成した読取画像データを外部端末に出力することができ、イメージスキャナ１００を作動させるための電力を供給することができ、外部端末からの入力により読取媒体を読み取る際の動作設定などを変更することができる。
【００１２】
キャリーケース１−１は、図１〜図４に示すように、本体部２と、カバー部３と、係止部４とを備える。
【００１３】
本体部２は、イメージスキャナ１００を収納するものである。本体部２は、収納部材２１と、底部材２２と、仕切板２３とを有する。収納部材２１は、例えば、ＡＢＳ樹脂などの合成樹脂により形成されている。収納部材２１は、底面部２１ａと、側面部２１ｂ，２１ｃと、前面リブ２１ｄと、後面リブ２１ｅ，２１ｆとを有する。
【００１４】
底面部２１ａは、イメージスキャナ１００が本体部２に収納される際に、イメージスキャナ１００が載置される部分であり、長方形状に形成されている。側面部２１ｂ，２１ｃは、本体部２の長手方向、すなわちキャリーケース１−１の幅方向における底面部２１ａの両端部に形成されている。また、底面部２１ａは、長手方向における側面部２１ｂ，２１ｃとの間の距離、すなわち第１収納部Ｓ１の長手方向における距離がイメージスキャナ１００の幅と同じあるいはほぼ同じに設定されている。従って、側面部２１ｂ，２１ｃは、本体部２に収納された状態、すなわち収納状態のイメージスキャナ１００が本体部２に対して長手方向に移動することを規制する規制機構として機能する。これにより、収納状態のイメージスキャナ１００により、読取媒体の読み取り時に、キャリーケース１−１に対するイメージスキャナ１００の移動（長手方向における移動）を規制することができるので、収納状態のイメージスキャナ１００により安定して読取媒体の読み取りを行うことができる。また、底面部２１ａは、切欠部２１ｇが形成されている。切欠部２１ｇは、前後方向の両端部のうち、後方向側の端部から前方向に形成されている。ここで、前後方向とは本体部２の長手方向および上下方向と直交する方向であり、前後方向のうち前面リブ２１ｄ側に向かう方向を前方向とし、後面リブ２１ｅ，２１ｆ側に向かう方向を後ろ方向とする。切欠部２１ｇは、後面リブ２１ｅ，２１ｆの間および後述するリブ２１ｈ，２１ｉの間に形成されている。
【００１５】
側面部２１ｂ，２１ｃは、上下方向における底面部２１ａからの距離、すなわち後述する第１収納部Ｓ１の上下方向における距離がイメージスキャナ１００の高さよりも長くなるように設定されている。ここで、上下方向とは本体部２の長手方向および前後方向と直交する方向であり、上下方向のうち底面部２１ａ側に向かう方向を下方向とし、底面部２１ａ側と反対側に向かう方向を上方向とする。また、側面部２１ｂ，２１ｃは、長手方向において対向する内壁面から互いに向かう方向に突出するリブ２１ｈ，２１ｉがそれぞれ形成されている。ここで、リブ２１ｈ，２１ｉは、前後方向におけるリブ２１ｈ，２１ｉと前面リブ２１ｄとの間の距離、すなわち第１収納部Ｓ１の前後方向における距離が、イメージスキャナ１００の奥行きと同じあるいはほぼ同じに設定されている。従って、側面部２１ｂ，２１ｃおよび前面リブ２１ｄは、収納状態のイメージスキャナ１００が本体部２に対して前後方向に移動することを規制する規制機構として機能する。これにより、収納状態のイメージスキャナ１００により、読取媒体の読み取り時に、キャリーケース１−１に対するイメージスキャナ１００の移動（前後方向における移動）を規制することができるので、収納状態のイメージスキャナ１００により安定して読取媒体の読み取りを行うことができる。
【００１６】
また、側面部２１ｂには、収納状態のイメージスキャナ１００の接続部１０３と対向する位置に接続用穴２１ｊが形成されている。接続用穴２１ｊは、側面部２１ｂを長手方向に貫通するものであり、イメージスキャナ１００の接続部１０３に接続される接続ケーブルなどが挿入できる形状に形成されている。従って、イメージスキャナ１００が本体部２に収納された状態で、接続部１０３に接続ケーブルを接続することができる。これにより、イメージスキャナ１００を本体部２から取り出さずに、イメージスキャナ１００と外部機器とを電気的に接続することができ、収納状態のイメージスキャナ１００が読取媒体を読み取ることで生成された読取画像データを外部機器に出力することができる。また、イメージスキャナ１００が有する記憶部に記憶された読取画像データをイメージスキャナ１００が収納された状態のままで、外部機器に出力することもできる。なお、接続用穴２１ｊは、収納状態のイメージスキャナ１００の接続部１０３の位置に応じて形成されるものであり、側面部２１ｂに限られず、本体部２のいずれの位置に形成されていても良い。また、キャリーケース１−１を使用するイメージスキャナ１００が複数種類あり、各イメージスキャナ１００において接続部１０３の位置が異なる場合は、接続用穴２１ｊが各イメージスキャナ１００の接続部１０３の位置に対応して複数形成されていても良い。
【００１７】
ここで、接続用穴２１ｊは、蓋部５を挿入することで閉塞される。蓋部５は、例えば弾性を有する合成樹脂やゴムなどで形成されており、挿入部５ａと支持部５ｂとにより構成されている。挿入部５ａは、接続用穴２１ｊに挿入することで、接続用穴２１ｊを閉塞する部分であり、接続用穴２１ｊに対して着脱自在に形成されている。従って、収納状態のイメージスキャナ１００と外部機器とを電気的に接続しない場合に、接続用穴２１ｊを蓋部５により閉塞することで、接続部１０３がキャリーケース１−１の外部に露出することを抑制することができる。これにより、外部から埃やゴミなどが本体部２内部に進入し、接続部１０３に堆積することを抑制することができる。また、支持部５ｂは、本体部２に支持される部分であり、挿入部５ａの後方向側の端部から後方向に突出して形成されている。支持部５ｂは、側面部２１ｂの図示しない支持穴に挿入することで本体部２に支持される。従って、支持部５ｂは、接続用穴２１ｊから外された蓋部５と本体部２とが離れることを抑制することができる。これにより、蓋部５を紛失することを抑制することができる。
【００１８】
前面リブ２１ｄは、前方向側から見た際に、Ｕ字形状に形成されており、底面部２１ａの前方向側の端部に形成されており、長手方向における両端部が側面部２１ｂ，２１ｃと一体に形成されている。ここで、前面リブ２１ｄは、前方向側から見た際に、収納状態のイメージスキャナ１００の挿入口１０１と重なり合わないように形成されている。従って、本体部２にイメージスキャナ１００が収納された状態で、読取媒体をユーザーが手差しにより挿入口１０１に挿入する際に、前面リブ２１ｄが妨げとなることを抑制することができる。
【００１９】
後面リブ２１ｅ，２１ｆは、底面部２１ａの後方向側の端部で、長手方向における両端部に側面部２１ｂ，２１ｃとそれぞれ一体に形成されている。ここで、後面リブ２１ｅ，２１ｆは、後方向から見た際に、収納状態のイメージスキャナ１００の排出口１０２と重なり合わないように形成されている。従って、後面リブ２１ｅ，２１ｆは、本体部２にイメージスキャナ１００が収納された状態で、搬送部により排出口１０２から排出された読取媒体が接触することを抑制できるので、搬送部により読取媒体を排出する際に妨げとなることを抑制することができる。
【００２０】
底部材２２は、収納部材２１の底面部２１ａが固定されるものであり、仕切板２３を有する。底部材２２は、例えば、ＰＶＣシートなどの樹脂製シートに板紙などの芯材を積層し、芯材の露出する部分を布生地などの表面シートで被覆することで、表面シートと樹脂製シートとの間に芯材が挟まれた構造とし、長方形状に形成されている。本実施形態では、底部材２２は、収納部材２１に固定される面である裏面２２ａがＰＶＣシートであり、反対側の面である表面２２ｂが布生地で形成されている。底部材２２は、収納部材２１よりも前後方向における長さが長く設定されており、収納部材２１に固定された状態で、前方向において収納部材２１よりも突出する突出部２２ｃが形成されている。
【００２１】
仕切板２３は、例えば、板紙などの芯材をＰＶＣシートなどの樹脂製シートにより被覆し、長方形状に形成されている。仕切板２３は、切欠部２１ｇよりも長手方向の長さが短く設定されている。仕切板２３は、切欠部２１ｇに位置し、回動基準Ａにおいて底部材２２に対して長手方向周りに回動自在に支持されている。本実施形態では、回動基準Ａは、仕切板２３が上下方向に立っている状態である立位状態（図４参照）において、底部材２２と対向する底面２３ａの前後方向の両端部のうち、後方向側の端部２３ｃと、端部２３ｂと対向する裏面２２ａとの間である。つまり、仕切板２３は、本体部２に対して長手方向周りに回動自在に支持されている。具体的には、仕切板２３が立位状態において、後方向の面である後面２３ｃと底部材２２の裏面２２ａとを変形自在なシート状のもの（例えば、樹脂製のシート）で連結する、あるいは、後面２３ｃおよび裏面２２ａを一つの樹脂製シートで形成することで、仕切板２３を底部材２２に対して長手方向周りに回動自在に支持する。なお、仕切板２３は、立位状態において、側面部２１ｂ，２１ｃより上方向に突出しないように設定されている。ここで、仕切板２３が立位状態となると、本体部２は２つの空間部に区画される。一方は仕切板２３と前面リブ２１ｄとの間に形成され、イメージスキャナ１００を収納する第１収納部Ｓ１であり、他方は仕切板２３と後面リブ２１ｅ，２１ｆとの間に形成される第２収納部Ｓ２である。つまり、本体部２は、仕切板２３を設けることで、第１収納部Ｓ１にイメージスキャナ１００を収納できることのみならず、第２収納部Ｓ２にイメージスキャナ１００に関連する周辺機器、例えば上述の接続ケーブルなどを収納することができる。従って、イメージスキャナ１００に関連する接続ケーブルなどの周辺機器をキャリーケース１−１に収納することができるので、イメージスキャナ１００をキャリーケース１−１に収納して持ち運ぶ際に、キャリーケース１−１に収納されていない周辺機器を鞄などに入れて別個に持ち運ぶことを抑制することができる。
【００２２】
カバー部３は、本体部２を覆うことで、収納状態のイメージスキャナ１００を覆うものである。カバー部３は、複数のパネル部材３１，３２，３３とを有する。各パネル部材３１〜３３は、長手方向の長さが本体部２と同じあるいはほぼ同じとなるように形成されている。各パネル部材３１〜３３は、上記底部材２２と同様に、例えば、ＰＶＣシートなどの樹脂製シートに板紙などの芯材を積層し、芯材の露出する部分を布生地などの表面シートで被覆することで、表面シートと樹脂製シートとの間に芯材が挟まれた構造とし、長方形状に形成されている。本実施形態では、各パネル部材３１〜３３は、本体部２と対向する面である裏面３１ａ，３２ａ、３３ａがＰＶＣシートであり、反対側の面である表面３１ｂ，３２ｂ，３３ｂが布生地で形成されている。
【００２３】
パネル部材３１は、カバー部３により本体部２を覆った状態である閉塞状態で、本体部２の後面リブ２１ｅ，２１ｆと対向するものである。パネル部材３１は、回動基準Ｂにおいて底部材２２に対して長手方向周りに回動自在に支持されている。本実施形態では、回動基準Ｂは、パネル部材３１の裏面３１ａの短手方向の両端部のうち、底部材２２側の端部３１ｃと、端部３１ｃと対向する裏面２２ａの後方向側の端部２２ｋとの間である。つまり、パネル部材３１は、本体部２に対して長手方向周りに回動自在に支持されている。ここで、短手方向とは、長手方向と各パネル部材３１〜３３の厚さ方向と直交する方向である（図１における前後方向）。
【００２４】
パネル部材３２は、閉塞状態で、本体部２の側面部２１ｂ，２１ｃの上方向側の端部と対向するものである。パネル部材３２は、回動基準Ｃにおいてパネル部材３１に対して長手方向周りに回動自在に支持されている。本実施形態では、回動基準Ｃは、パネル部材３２の裏面３２ａの短手方向の両端部のうち、パネル部材３１側の端部３２ｃと、端部３２ｃと対向する裏面３１ａの短手方向の両端部のうち、パネル部材３２側の端部３１ｄとの間である。つまり、パネル部材３２は、パネル部材３１を介して、本体部２に対して長手方向周りに回動自在に支持されている。
【００２５】
パネル部材３３は、閉塞状態で、本体部２の前面リブ２１ｄと対向するものである。パネル部材３３は、回動基準Ｄにおいてパネル部材３２に対して長手方向周りに回動自在に支持されている。本実施形態では、回動基準Ｄは、パネル部材３３の裏面３３ａの短手方向の両端部のうち、パネル部材３２側の端部３３ｃと、端部３３ｃと対向する裏面３２ａの短手方向の両端部のうち、パネル部材３３側の端部３２ｄとの間である。つまり、パネル部材３３は、パネル部材３１，３２を介して、本体部２に対して長手方向周りに回動自在に支持されている。つまり、カバー部３は、複数のパネル部材３１〜３３を回動基準Ｂ〜Ｄにおいて長手方向周りに回動自在に支持されていることで、本体部２に対して長手方向周りに回転自在に支持されていることとなる。
【００２６】
係止部４は、カバー部３を本体部２に対して係止するものである。係止部４は、複数のパネル部材４１、４２と、第１係止部材４３と、第２係止部材４４と、おもり４５とを有する。各パネル部材４１，４２は、長手方向の長さが本体部２に対して１／２〜１／３程度となるように形成されている。各パネル部材４１，４２は、上記底部材２２と同様に、例えば、ＰＶＣシートなどの樹脂製シートに板紙などの芯材を積層し、芯材の露出する部分を布生地などの表面シートで被覆することで、表面シートと樹脂製シートとの間に芯材が挟まれた構造とし、長方形状に形成されている。本実施形態では、各パネル部材４１，４２は、本体部２と対向する面である裏面４１ａ，４２ａがＰＶＣシートであり、反対側の面である表面４１ｂ，４２ｂが布生地で形成されている。
【００２７】
パネル部材４１は、上記閉塞状態後、カバー部３を本体部２に対して係止する状態である係止状態で、パネル部材３３を介して本体部２の前面リブ２１ｄと対向するものである。パネル部材４１は、回動基準Ｅにおいて底部材２２に対して長手方向周りに回動自在に支持されている。本実施形態では、回動基準Ｅは、パネル部材４１の裏面４１ａの短手方向の両端部のうち、底部材２２側の端部４１ｃと、端部４１ｃと対向する裏面２２ａの後方向側の端部２２ｍとの間である。つまり、パネル部材４１は、本体部２に対して長手方向周りに回動自在に支持されている。ここで、短手方向とは、長手方向とパネル部材４１，４２の厚さ方向と直交する方向である（図１における前後方向）。
【００２８】
パネル部材４２は、係止状態で、パネル部材３２を介して本体部２の側面部２１ｂ，２１ｃの上方向側の端部と対向するものである。パネル部材４２は、回動基準Ｆにおいてパネル部材４１に対して長手方向周りに回動自在に支持されている。本実施形態では、回動基準Ｆは、パネル部材４２の裏面４２ａの短手方向の両端部のうち、パネル部材４１側の端部４２ｃと、端部４２ｃと対向する裏面４１ａの短手方向の両端部のうち、パネル部材４２側の端部４１ｄとの間である。つまり、パネル部材４２は、パネル部材４１を介して、本体部２に対して長手方向周りに回動自在に支持されている。従って、係止部４は、複数のパネル部材４１，４２を回動基準Ｅ，Ｆにおいて長手方向周りに回動自在に支持されていることで、本体部２に対して長手方向周りに回動自在に支持されていることとなる。
【００２９】
第１係止部材４３および第２係止部材４４は、カバー部３を本体部２に対して係止するためのものである。本実施形態では、第１係止部材４３および第２係止部材４４により面ファスナーを構成する。なお、第１係止部材４３および第２係止部材４４は面ファスナーに限られるものではなく、磁石および磁性体、例えばフック形状の部材とその受け部材などであっても良い。第１係止部材４３は、パネル部材４２の裏面４２ａに設けられている。第２係止部材４４は、パネル部材３２の表面３２ｂに係止状態において第１係止部材と対向する位置に設けられている。
【００３０】
おもり４５は、パネル部材４２の短手方向の両端部のうち、パネル部材４１側と反対側の端部４２ｄを覆い、かつ裏面４２ａ、表面４２ｂの一部を覆うように、パネル部材４２に取り付けられている。
【００３１】
次に、本実施形態１に係るキャリーケース１−１によるイメージスキャナ１００の収納について説明する。まず、本体部２にイメージスキャナ１００を収納する。ここでは、ユーザーにより、本体部２の第１収納部Ｓ１にイメージスキャナ１００を載置する。ここで、収納状態のイメージスキャナ１００の搬送方向は後ろ方向となり、読取媒体の排出方向も後ろ方向となる。次に、本体部２に、イメージスキャナ１００とともに周辺機器２００を収納する場合は、仕切板２３を立位状態にして、第２収納部Ｓ２に周辺機器２００を収納する。これにより、イメージスキャナ１００と周辺機器２００が本体部２に収納される。
【００３２】
次に、本体部２にイメージスキャナ１００および周辺機器２００が収納された状態で、カバー部３を本体部２に向かう方向である近接方向に回動させ、カバー部３が本体部２を覆った状態である閉塞状態とする。具体的には、ユーザーにより、カバー部３のパネル部材３１を回動基準Ｂにおいて、底部材２２に対して近接方向に回動させ、本体部２の後面リブ２１ｅ，２１ｆと対向させる。次に、パネル部材３２を回動基準Ｃにおいて、本体部２の後面リブ２１ｅ，２１ｆと対向している状態のパネル部材３１に対して近接方向に回動させ、本体部２の側面部２１ｂ，２１ｃの上方向側の端部と対向させる。次に、パネル部材３３を回動基準Ｄにおいて、本体部２の側面部２１ｂ，２１ｃの上方向側の端部と対向している状態のパネル部材３２に対して近接方向に回動させ、本体部２の前面リブ２１ｄと対向させる。このとき、パネル部材３２は、裏面３３ａの短手方向の両端部のうち、パネル部材３２側と反対側の端部３３ｄが底部材２２の突出部２２ｃと上下方向において対向する。
【００３３】
次に、カバー部３が閉塞状態で、係止部４によりカバー部３を本体部２に対して係止する。具体的には、ユーザーにより、係止部４のパネル部材４１を回動基準Ｅにおいて、底部材２２に対して近接方向に回動させ、閉塞状態のパネル部材３３と対向させる。次に、パネル部材４２を回動基準Ｆにおいて、閉塞状態のパネル部材３３と対向している状態のパネル部材４１に対して近接方向に回動させ、パネル部材３２と対向させる。次に、第１係止部材４３と第２係止部材４４とを接触させることで、カバー部３を本体部２に対して係止することで、キャリーケース１−１にイメージスキャナ１００および周辺機器２００を収納する。
【００３４】
次に、本実施形態１に係るキャリーケース１−１に収納された状態でイメージスキャナ１００を使用する場合について説明する。まず、ユーザーにより、イメージスキャナ１００および周辺機器２００が収納されたキャリーケース１−１を使用する場所に載置する。次に、係止部４による係止を解放する。ここでは、ユーザーにより、接触している第１係止部材４３と第２係止部材４４との接触を離間する。そして、パネル部材４２を回動基準Ｆにおいて、パネル部材４１に対して近接方向と反対方向である離間方向に回動させるとともに、パネル部材４１を回動基準Ｅにおいて、底部材２２に対して離間方向に回動させることで、パネル部材４１およびパネル部材４２を展開状態とする。このとき、パネル部材４２に取り付けられたおもり４５により、展開状態のパネル部材４１およびパネル部材４２が近接方向に再度回動することを抑制することができる。これにより、パネル部材４１およびパネル部材４２が、前方向側から見た際に、収納状態のイメージスキャナ１００の挿入口１０１と重なり合うことを抑制することができる。従って、本体部２にイメージスキャナ１００が収納された状態で、読取媒体をユーザーが手差しにより挿入口１０１に挿入する際に、パネル部材４１およびパネル部材４２が妨げとなることを抑制することができる。
【００３５】
次に、係止部４による係止を解放した状態で、カバー部３を本体部２に対して離間方向に回動することで展開状態とする。まず、パネル部材３３を回動基準Ｄにおいて、パネル部材３２に対して離間方向に回動させるとともに、パネル部材３２を回動基準Ｃにおいて、パネル部材３１に対して離間方向に回動させるとともに、パネル部材３１を回動基準Ｂにおいて、底部材２２に対して離間方向に回動させることで、カバー部３を展開状態とする。
【００３６】
次に、本体部２から周辺機器２００を取り出すとともに、仕切板２３を立位状態から傾倒状態とする。具体的には、ユーザーにより、立位状態の仕切板２３を回動基準Ａにおいて、底部材２２に対して離間方向に回動させることで、仕切板２３を傾倒状態とする。これにより、仕切板２３が排出口１０２から排出される読取媒体と接触することを抑制することができ、読取媒体を安定して排出することができる。
【００３７】
次に、収納状態のイメージスキャナ１００により読取媒体の読取動作を行う。具体的には、まず、ユーザーにより、蓋部５が外された接続用穴２１ｊから取り出された周辺機器２００のうち接続ケーブルを挿入し、接続ケーブルをイメージスキャナ１００の接続部１０３に電気的に接続するとともに、外部機器に電気的に接続し、イメージスキャナ１００に電力を供給する。次に、イメージスキャナ１００を読取可能状態とし、挿入口１０１に読取媒体を手差しで挿入し、読取媒体の読み取りを開始する。読み取られた読取媒体は、排出口１０２から排出される。このとき、排出方向が後ろ方向であるので、排出された読取媒体は、展開されたカバー部３に沿って排出されることとなる。従って、カバー部３は、本実施形態では読取媒体を排出する排出経路を形成する。
【００３８】
以上のように、本実施形態に係るキャリーケース１−１は、イメージスキャナ１００を本体部２に収納した状態で、イメージスキャナ１００により読取媒体の読み取りを行うことができる。従って、イメージスキャナ１００をキャリーケース１−１から取り外す手間や、イメージスキャナ１００を取り外したキャリーケース１−１の片付けなどが省略され、イメージスキャナ１００を簡単に使用することができる。また、展開状態のカバー部３は、使用する場所を覆うことで排出経路を形成するので、イメージスキャナ１００を使用する場所に拘わらず、イメージスキャナ１００から排出された読取媒体は必ず展開状態のカバー部３に沿って排出される。これにより、使用する場所に影響を受けることなく、読取媒体を安定して排出することができるので、イメージスキャナ１００を安定して使用することができる。
【００３９】
〔変形例１〕
なお、上記実施形態において、仕切板２３を本体部２に対して離間方向に回動させる力を作用させる仕切板回動機構を有していても良い。仕切板回動機構は、本実施形態では、仕切板２３を回動基準Ａにおいて底部材２２に対して離間方向に回動させるものである。また、上記実施形態１において、カバー部３を本体部２に対して離間方向に回動させる力を作用させるカバー部回動機構を有していても良い。カバー部回動機構は、本実施形態では、パネル部材３１を回動基準Ｂにおいて底部材２２に対して離間方向に回動させるパネル部材回動機構、パネル部材３２を回動基準Ｃにおいてパネル部材３１に対して離間方向に回動させるパネル部材回動機構、パネル部材３３を回動基準Ｄにおいてパネル部材３２に対して離間方向に回動させるパネル部材回動機構である。また、パネル部材４１，４２を本体部２に対して離間方向に回動させる力を作用させるパネル部材回動機構を有していても良い。パネル部材回動機構は、本実施形態では、パネル部材４１を回動基準Ｅにおいて底部材２２に対して離間方向に回動させるもの、パネル部材４２を回動基準Ｆにおいてパネル部材４１に対して離間方向に回動させるものである。ここで、仕切板回動機構およびパネル部材回動機構は、一方の部材を回動基準において他方の部材に対して離間方向に回動させる力を発生するものであればいずれであっても良く、例えば板バネ、コイルバネ、弾性を有する合成樹脂部材などの弾性体を一方の部材と他方の部材との間に設けても良く、一方の部材と他方の部材とを一体の弾性を有する部材で形成しても良い。
【００４０】
〔変形例２〕
なお、上記実施形態では、イメージスキャナ１００は、底面部２１ａに載置するのみで、本体部２に収納するが本発明はこれに限定されるものではない。図５は、変形例２に係るキャリーケースの概略構成例を示す図である。本変形例では、同図に示すように、イメージスキャナ１００と底面部２１ａとの間に規制機構６を設けても良い。規制機構６は、第１係止部材６１と第２係止部材６２とに構成される。第１係止部材６１は、収納状態のイメージスキャナ１００の底面部２１ａに設けられ、第２係止部材６２は、底面部２１ａの収納状態のイメージスキャナ１００に設けられている。本変形例では、第１係止部材６１および第２係止部材６２により面ファスナーを構成する。従って、第１係止部材６１と第２係止部材６２とが接触すると、収納状態のイメージスキャナ１００が本体部２に対して長手方向、上下方向、前後方向に移動することを規制することができる。従って、カバー部３が展開している状態で、キャリーケース１−１が落下するなどがあっても、イメージスキャナ１００が本体部２から離間することがないため、イメージスキャナ１００の損傷を抑えることができる。なお、第１係止部材６１および第２係止部材６２は面ファスナーに限られるものではなく、磁石および磁性体、例えばフック形状の部材とその受け部材などであっても良い。
【００４１】
〔変形例３〕
なお、上記実施形態において、本体部２から収納状態のイメージスキャナ１００に電力を供給してもよい。図６は、変形例３に係るキャリーケースの概略構成例を示す図である。本変形例では、同図に示すように、底面部２１ａにバッテリ７を固定しておき、イメージスキャナ１００が第１収納部Ｓ１に収納されると、イメージスキャナ１００の電源コネクタ１０４と、バッテリ７の給電コネクタ７１とが電気的に接続され、バッテリ７からイメージスキャナ１００に電力を供給する。従って、イメージスキャナ１００と外部機器とが接続ケーブルにより接続できない状態でも、イメージスキャナ１００を作動させることができる。ここで、本体部２の側面部２１ｂには、バッテリ７の充電コネクタ７２と対向する位置に充電用穴２１ｌが形成されている。充電用穴２１ｌは、側面部２１ｂを長手方向に貫通するものであり、バッテリ７の充電コネクタ７２に接続される充電用ケーブルなどが挿入できる形状に形成されている。従って、イメージスキャナ１００が本体部２に収納された状態で、充電コネクタ７２に充電ケーブルを接続することができる。なお、上述の蓋部５と同様に、充電用穴に着脱自在に挿入される蓋部を有していても良い。
【００４２】
〔変形例４〕
なお、上記実施形態において、カバー部３が収納状態のイメージスキャナ１００から投射される読取画像を投影するスクリーン面を有していても良い。図７は、変形例４に係るキャリーケースの概略構成例を示す図である。本変形例では、同図に示すように、イメージスキャナ１００は、投射装置１０５を備える。投射装置１０５は、イメージスキャナ１００の図示しない制御部と接続されており、少なくともイメージスキャナ１００により生成された読取媒体に対応する読取画像データを投射するものである。投射装置１０５は、収納状態のイメージスキャナ１００の後方向側に設けられており、投射方向が後方向となるものである。カバー部３は、カバー部３を展開状態から近接方向に回動させることで、投射装置１０５の投射方向に位置できる部分、本実施形態では、カバー部３を展開状態から近接方向に回動させることで、パネル部材３２の裏面３２ａに読取画像データを表示するスクリーン面３４が形成されている。これにより、イメージスキャナ１００により生成された読取画像データを外部機器に出力し、外部機器に表示させることなく、キャリーケース１−１で表示させることができる。従って、収納状態のイメージスキャナ１００が外部から電力を供給されなくても作動する場合は、イメージスキャナ１００を外部機器に接続することなく、読取媒体の読み取り、読み取り後の読取画像の確認を簡単に行うことができる。
【００４３】
〔実施形態２〕
次に、実施形態２に係るキャリーケースについて説明する。図８は、実施形態２に係る携帯型画像読取装置用ケースの外観図である。図９は、携帯型画像読取装置を収納した状態を示す図である。実施形態２に係るキャリーケース１−２が実施形態１に係るキャリーケース１−１と異なる点は、カバー部３を閉塞状態とするとともに、係止部８によりカバー部３を本体部２に対して係止することができる点である。なお、実施形態２に係るキャリーケース１−２は、実施形態１に係るキャリーケース１−１と基本的構成、基本的動作がほぼ同一であるため、同一部分については簡略化あるいは省略する。
【００４４】
係止部８は、第１係止部材８１と第２係止部材８２とに構成される。第１係止部材８１は、本体部２の前方向側、すなわち前面リブ２１ｄに設けられ、第２係止部材８２は、カバー部３のパネル部材３３の裏面３３ａに、カバー部３の閉塞状態において第１係止部材８１と対向する位置に設けられている。本実施形態では、第１係止部材８１および第２係止部材８２により面ファスナーを構成する。なお、第１係止部材８１および第２係止部材８２は面ファスナーに限られるものではなく、磁石および磁性体、例えばフック形状の部材とその受け部材などであっても良い。イメージスキャナ１００を本体部２に収納し、展開状態のカバー部３を閉塞状態とすると、第２係止部材８２が第１係止部材８１と対向し、接触するため係止部８によりカバー部３が本体部２に対して係止される。従って、係止部８は、カバー部３を閉塞状態とすることで、カバー部３を本体部２に対して係止する。以上のように、本実施形態に係るキャリーケース１−２は、実施形態１における作用効果とともに、簡単な操作で、イメージスキャナ１００をキャリーケース１−２に収納することができる。
【００４５】
〔実施形態３〕
次に、実施形態３に係るキャリーケースについて説明する。図１０は、実施形態３に係る携帯型画像読取装置用ケースの平面図である。実施形態３に係るキャリーケース１−３が実施形態１に係るキャリーケース１−１と異なる点は、接続ケーブル２０１を接続した状態のイメージスキャナ１００をキャリーケース１−３に収納することができる点である。なお、実施形態３に係るキャリーケース１−３は、実施形態１に係るキャリーケース１−１と基本的構成、基本的動作がほぼ同一であるため、同一部分については簡略化あるいは省略する。
【００４６】
収納部材２１は、側面部２１ｂ，２１ｃと、側面部２１ｂ，２１ｃまで存在する切欠部２１ｇを有する。また、底面部２１ａは、長手方向における側面部２１ｂ，２１ｃとの間の距離、すなわち第１収納部Ｓ１の長手方向における距離がイメージスキャナ１００の幅、すなわち長手方向の距離よりも長く設定されている。つまり、第１収納部Ｓ１は、収納状態のイメージスキャナ１００よりも長手方向に長く形成されている。また、底部材２２には、仕切板２４を有する。また、本体部２の長手方向における両端部のうち、収納状態のイメージスキャナ１００の接続部１０３側の端部、本実施形態では、側面部２１ｂと仕切板２４との間には、第１収納部Ｓ１と第２収納部Ｓ２とが連通する開口部２５が形成されている。つまり、仕切板２４の立位状態においても、第１収納部Ｓ１と第２収納部Ｓ２とは、開口部２５により連通した状態を維持する。さらに、側面部２１ｂに、少なくとも第２収納部Ｓ２と連通する引き出し穴２１ｍが形成されている。
【００４７】
次に、本実施形態３に係るキャリーケース１−３によるイメージスキャナ１００の収納について説明する。まず、本体部２にイメージスキャナ１００を収納する。次に、本体部２に、イメージスキャナ１００とともに周辺機器２００を収納する場合は、仕切板２４を立位状態にして、第２収納部Ｓ２に本実施形態では接続ケーブル２０１を収納する。このとき、接続ケーブル２０１の接続コネクタ２０２は、開口部２５を介して、イメージスキャナ１００の接続部１０３と予め接続しておく。これにより、イメージスキャナ１００と周辺機器２００が本体部２に収納される。
【００４８】
次に、本体部２にイメージスキャナ１００および周辺機器２００が収納された状態で、カバー部３を本体部２に向かう方向である近接方向に回動させ、カバー部３が本体部２を覆った状態である閉塞状態とする。次に、カバー部３が閉塞状態で、係止部４によりカバー部３を本体部２に対して係止することで、キャリーケース１−３にイメージスキャナ１００および周辺機器２００を収納する。
【００４９】
次に、本実施形態３に係るキャリーケース１−３に収納された状態でイメージスキャナ１００を使用する場合について説明する。まず、ユーザーにより、イメージスキャナ１００および周辺機器２００が収納されたキャリーケース１−３を使用する場所に載置する。次に、係止部４による係止を解放する。次に、係止部４による係止を解放した状態で、カバー部３を本体部２に対して離間方向に回動することで展開状態とする。次に、引き出し穴２１ｍから接続ケーブル２０１を引き出し、仕切板２４を立位状態から傾倒状態とする。次に、引き出された接続ケーブル２０１の接続コネクタ２０３を外部機器と接続することで、イメージスキャナ１００を外部機器と電気的に接続し、収納状態のイメージスキャナ１００により読取媒体の読取動作を行う。
【００５０】
以上のように、本実施形態に係るキャリーケース１−３は、本実施形態１における作用効果とともに、収納状態のイメージスキャナ１００を使用するごとに、接続ケーブル２０１をイメージスキャナ１００および外部機器に接続しないので、収納状態のイメージスキャナ１００を使用できるようにするまでの準備時間を短縮することができる。
【００５１】
なお、本実施形態においては、上記変形例２のように、イメージスキャナ１００と底面部２１ａとの間に規制機構を設けることが好ましい。また、仕切板２４がない場合は、接続ケーブル２０１を巻き取り式とし、本体部２の巻き取り時における接続コネクタ２０３と対向する位置に引き出し穴２１ｍを設けても良い。
【００５２】
なお、イメージスキャナ１００の挿入口１０１あるいは排出口１０２の少なくともいずれか一方に開閉自在なトレイを有する場合、トレイと対向する部材、例えば仕切板２３，２４、カバー部３、係止部４のパネル部材４１，４２のいずれかの離間方向への回動動作により、トレイを開かせるトレイ連動機構を備えていても良い。
【００５３】
実施形態１〜３、変形例１〜４は、それぞれ独立して説明したが、必要に応じて各実施形態１〜３、変形例１〜４の構成の一部を他の実施形態１〜３、変形例１〜４と適宜組み合わせてもよい。
【産業上の利用可能性】
【００５４】
以上のように、本発明にかかる携帯型画像読取装置用ケースは、携帯型画像読取装置を収納するのに有用であり、特に、携帯型画像読取装置を使用する場所の状態に拘わらず、携帯型画像読取装置を簡単に使用できること、あるいは携帯型画像読取装置を安定して使用できることの少なくともいずれかを実現するのに適している。
【符号の説明】
【００５５】
１−１，１−２，１−３  キャリーケース
２  本体部
２１  収納部材
２１ｊ  接続用穴
２１ｍ  引き出し穴
２２  底部材
２３，２４  仕切板
２５  開口部
３  カバー部
３１，３２，３３  パネル部材
３４  スクリーン面
４  係止部
４１，４２  パネル部材
４３  第１係止部材
４４  第２係止部材
４５  おもり
５  蓋部
６  規制機構
７  バッテリ
８  係止部
１００  イメージスキャナ
１０１  挿入口
１０２  排出口
１０３  接続部
１０４  電源コネクタ
１０５  投射装置
２００  周辺機器
２０１  接続ケーブル
２０２，２０３  接続コネクタ
【図１】
0005784297.tif 000002
【図２】
0005784297.tif 000003
【図３】
0005784297.tif 000004
【図４】
0005784297.tif 000005
【図５】
0005784297.tif 000006
【図６】
0005784297.tif 000007
【図７】
0005784297.tif 000008
【図８】
0005784297.tif 000009
【図９】
0005784297.tif 000010
【図１０】
0005784297.tif 000011